(57)【要約】      （修正有） 【課題】温度変化による膨張及び収縮や地震による揺れが作用した場合であっても破損する可能性を低減しうる管継手を提供する。【解決手段】複数の配管を接続する管継手１０であって、管継手本体１１と、管継手本体１１の両端部に設けられたフランジ部１３とを有し、管継手本体１１とフランジ部１３との間にはフレキシブルチューブ部１２が設けられている。【選択図】図１
0003189721.tif 000002
【実用新案登録請求の範囲】
【請求項１】
複数の配管を接続する管継手であって、管継手本体と、上記管継手本体の両端部にフレキシブルチューブ部を介して配設されたフランジ部とを有することを特徴とする管継手。
【請求項２】
上記フレキシブルチューブ部はベローズにより形成されていることを特徴とする請求項１記載の管継手。
【請求項３】
上記管継手本体及びフレキシブルチューブ部は金属製であることを特徴とする請求項２記載の管継手。
【請求項４】
上記管継手本体及びフレキシブルチューブ部は合成樹脂製であることを特徴とする請求項２記載の管継手。
【請求項５】
上記フレキシブルチューブ部は円筒状チューブにより形成されていることを特徴とする請求項４記載の管継手。
【請求項６】
上記管継手本体は直円筒状に形成されていることを特徴とする請求項１記載の管継手。
【請求項７】
上記管継手本体は屈曲管として形成されていることを特徴とする請求項１記載の管継手。
【考案の詳細な説明】
【技術分野】
【０００１】
本考案は、管継手の改良に関する。
【背景技術】
【０００２】
一般に、家屋、工場等には生活用水を流通させる通水配管が配設されている。このような通水配管は、所定の長さ寸法に形成された多数の通水配管本体が、互いに管継手により接合されることにより、建物の構造に合わせて配設されている。
【０００３】
このような配管が天井裏に配設された場合には、地域にもよるが、一般的に真夏は高温（例えば、７０度以上）になると共に真冬は低温（例えば、マイナス１０度以下）の環境となる。通水配管は一般的に鉄製であり、温度変化による膨張、収縮は大きい。
【０００４】
従って、このように通水配管に温度環境により膨張、収縮が発生した場合には、通水配管を接合している接合部や屈曲部に大きな応力が作用することから、場合によっては、各配管の接合部においてボルト、ナット等の接合部材や配管のフランジ部が破損する可能性もあった。
【０００５】
また、地震が発生した場合には、横揺れ及び縦揺れによる衝撃が通水配管に作用することから、同様に、各配管の接合部において接合部材やフランジ部が破損する場合もあった。
【０００６】
従って、従来より、温度変化による膨張及び収縮や地震による揺れが作用した場合であっても、接合部が破損する可能性を低減することができる管継手が要請されていた。
【考案の開示】
【考案が解決しようとする課題】
【０００７】
本考案はこのような従来からの不具合を解決するためのものであって、その課題は、温度変化による膨張及び収縮や地震による揺れが作用した場合であっても破損する可能性を低減しうる管継手を提供することにある。
【課題を解決するための手段】
【０００８】
上記課題達成のため、請求項１記載の考案にあっては、複数の配管を接続する管継手であって、管継手本体と、上記管継手本体の両端部に設けられたフランジ部とを有し、上記管継手本体と上記フランジ部との間にはフレキシブルチューブ部が設けられていることを特徴とする。
従って、請求項１記載の考案にあっては、気温の変化による熱膨張及び収縮や、地震時の横寄れ又は縦揺れを上記フレキシブルチューブ部が吸収する。
【０００９】
請求項２記載の考案にあっては、上記フレキシブルチューブ部はベローズにより形成されていることを特徴とする。
【００１０】
請求項３記載の考案にあっては、上記管継手本体及びフレキシブルチューブ部は金属製であることを特徴とする。
【００１１】
請求項４記載の考案にあっては、上記管継手本体及びフレキシブルチューブ部は合成樹脂製であることを特徴とする。
【００１２】
請求項５記載の考案にあっては、上記フレキシブルチューブ部は合成樹脂製の円筒状チューブにより形成されていることを特徴とする。
【００１３】
請求項６記載の考案にあっては、上記管継手本体は直円筒状に形成されていることを特徴とする。
【００１４】
請求項７記載の考案にあっては、上記管継手本体は屈曲管として形成されていることを特徴とする。
【考案の効果】
【００１５】
請求項１〜７記載の考案にあっては、気温の変化による熱膨張及び収縮や、地震時の横寄れ又は縦揺れを上記フレキシブルチューブ部が吸収するため、従来のように、熱膨張及び収縮による配管の軸方向及び径方向における応力変化が直接にフランジ部に作用することがなく、ボルト及びナット等の接合部材やフランジ部の破壊の可能性を低減することができる。
【図面の簡単な説明】
【００１６】
【図１】本考案に係る管継手の一実施の形態を示す平面図である。
【図２】本考案に係る管継手の他の実施の形態を示す平面図である。
【考案を実施するための最良の形態】
【００１７】
以下、添付図面に示す実施の形態に基づき、本考案を詳細に説明する。
図１に示すように、本実施の形態に係る管継手１０は、平面Ｌ字状に折曲された円筒状の屈曲管として形成された管継手本体１１と、上記管継手本体１１の両端部にフレキシブルチューブ部１２、１２を介して配設されたフランジ部１３、１３とを有しており、管継手本体１１と上記フランジ部１３、１３との間にはフレキシブルチューブ部１２、１２が設けられている。
【００１８】
本実施の形態にあっては、フレキシブルチューブ部１２、１２は金属ベローズにより形成され、その両端部において管継手本体１１及びフランジ部１３、１３に溶接固定されている。
管継手１０のフランジ部１３、１３には、水路を形成する通水配管１４、１４がフランジ部１５、１５を介して、ボルト及びナット等の適宜の接続固定部材により接合されている。
【００１９】
従って、本実施の形態に係る管継手１０が、適宜、ボルト及びナット等の接続固定部材により通水配管１４、１４の端部に接合されて、建築物等に配設された場合には、通水配管１４、１４において気候の変化による温度変化が原因となる熱膨張及び収縮があった場合であっても、通水配管１４、１４の軸方向及び径方向における熱膨張及び収縮を金属ベローズからなるフレキシブルチューブ部１２、１２が吸収するため、フランジ部１３、１３及びフランジ部１５、１５への熱膨張及び収縮の影響を排除することができる。
【００２０】
その結果、熱膨張及び収縮があった場合のフランジ部１３、１３及びフランジ部１５、１５を配管へ接合固定しているボルト及びナット等の接合部材への応力集中を回避することができ、接合部材の破壊の事態を防止することができる。
【００２１】
また、地震が発生した場合には、地震による縦方向及び横方向の揺れを金属ベローズからなるフレキシブルチューブ部１２、１２が吸収するため、フランジ部１３、１３及びフランジ部１５、１５への地震の揺れの影響を排除することができる。
【００２２】
その結果、地震が発生した場合のフランジ部１２、１２を配管へ接合固定しているボルト及びナット等の接合部材への応力集中を回避することができ、接合部材の破壊の事態を防止することができる。
【００２３】
本実施の形態にあっては、管継手本体１１が平面Ｌ字状に折曲された円筒状の屈曲管として形成された場合を例に説明したが、上記実施の形態に限定されず、例えば、図２に示すように、直円筒状であって径が中間部において縮小するように形成された管継手本体１６であってもよく、上記実施の形態には限定されない。
【００２４】
また、上記実施の形態にあっては、フレキシブルチューブ部１３、１３が金属ベローズにより形成されている場合を例に説明したが、上記実施の形態に限定されず、上記管継手本体及びフレキシブルチューブ部は合成樹脂製であってもよい。
【産業上の利用可能性】
【００２５】
本考案は広く管継手に適用することができることから、産業上の利用可能性を有している。
【符号の説明】
【００２６】
１０  管継手
１１  管継手本体
１２  フレキシブルチューブ
１３  フランジ部
１４  通水配管
１５  管継手本体
【図１】
0003189721.tif 000003
【図２】
0003189721.tif 000004